(57)【要約】【課題】本発明は、磁気表示パネル用の筆記用具として、一つの軸筒に複数の磁石を配設し、不使用時には磁石が軸筒内に没入し、使用時に所望する磁石を選択的に軸筒の先端開口部より出没可能な磁気表示パネル用筆記用具を得るものである。【解決手段】保持体の先端に筆記先端として外径や磁極を異にした磁石を装着した複数の筆記体を設ける。該筆記体を軸筒内にコイルスプリングにより後方に付勢された状態で収納するとともに、軸筒に設けた操作部を操作することで複数の筆記体から選択した筆記体を摺動して軸筒の先端開口部より筆記先端としての磁石を出没可能とした繰出機構に具設する。【選択図】図４
2008093894.tif 000002
【特許請求の範囲】
【請求項１】
保持体の先端に外径が異なる筆記先端としての磁石を装着してなる複数の筆記体を、軸筒内にコイルスプリングにより後方に付勢された状態で収納して、軸筒に設けた操作部の操作により筆記先端を軸筒の先端開口部より出没可能とする繰出機構に具設し、該繰出機構の操作により複数の筆記体から選択した筆記体を摺動して、軸筒の先端開口部より筆記先端としての磁石を出没可能とした磁気表示パネル用筆記用具。
【請求項２】
少なくとも、着色材を含有する分散媒中に、高保磁力材からなる第１の磁性材料と低保磁力材からなる第２の磁性材料とを混合してなる、両磁極の色を異ならせかつ分散媒の色とも異ならせて着色した微小磁石を分散して得られた降伏値を有する分散液体をパネル間に収容した磁気泳動反転型表示パネル用の筆記用具であって、保持体の先端にＮ極またはＳ極の磁極が露出するように筆記先端としての磁石を装着してなる第１筆記体と、保持体の先端に前記磁石の磁極と反対のＳ極またはＮ極の磁極が露出するように筆記先端としての磁石を装着してなる第２筆記体とを、軸筒内に互いの磁石が吸着しないようにコイルスプリングにより後方に付勢された状態で収納して、軸筒に設けた操作部の操作により筆記先端を軸筒の先端開口部より出没可能とする繰出機構に具設し、該繰出機構の操作により複数の筆記体から選択した筆記体を摺動して、軸筒の先端開口部より筆記先端としての磁石を出没可能とした磁気表示パネル用筆記用具。
【請求項３】
請求項２に記載の磁気表示パネル用筆記用具において、繰出機構を操作する際に、操作により第１筆記体または第２筆記体のどちらの筆記先端としての磁石が軸筒の先端開口部より突出するか判るように、突出した磁石で磁気泳動反転型表示パネルに筆記した時の表示の筆跡の色と同色または同系色で形成した目印を視認できるように設けてなる磁気表示パネル用筆記用具。
【発明の詳細な説明】
【技術分野】
【０００１】
本発明は、磁気力を利用して表示を行うことができる、筆記先端を磁石とした磁気表示パネル用筆記用具に関する。
【背景技術】
【０００２】
従来、磁石を軸筒に装着した筆記用具を用いて筆記することにより、その磁石の磁気力を利用して表示を行うことができる磁気表示パネルについては知られている。具体的にいうと、
ａ）多くの微小粒の表示用磁性体と分散媒と増稠剤とを主成分とする降伏値を有する分散液体をパネル間に収容した磁気表示パネルであって、パネルの表示面から磁石を作用させて前記表示用磁性体を吸引泳動させて表示を形成し、反対面から磁石を作用させて磁性粒子を吸引沈降させて表示を消去する磁気泳動型表示パネル、
ｂ）Ｓ極およびＮ極を有し、Ｓ極側表面部分とＮ極側表面部分とを異なる色に着色した表示用磁性体、分散媒、増稠剤とを主成分とする降伏値を有する分散液体をパネル間に収容した磁気表示パネルであって、パネルの表示面から磁石を作用させて前記磁性表示体を反転して記録を表示し、同じ面から表示の時とは逆の極の磁気によりさらに反転して表示を消去する磁気反転型表示パネル、
ｃ）最近、ＷＯ  ２００５／０３３７９０公報により開示された、着色材を含有する分散媒中に、高保磁力材からなる第１の磁性材料と低保磁力材からなる第２の磁性材料とを混合してなる、両磁極の色を異ならせかつ分散媒の色とも異ならせて着色した微小磁石を分散して得られた降伏値を有する分散液体をパネル間に収容した磁気表示パネルであって、分散液体中に分散した微小磁石をパネルの表示面から磁石により泳動または泳動／反転させて表示を形成し、さらに表示面から他の磁極の磁石により表示を形成した微小磁石を反転させて表示色を変化させることができ、表示面の裏面から消去用磁石により微小磁石を引き寄せて表示を消去する、背景以外に２色の表示、つまり３色で形成された磁気表示ができる磁気泳動反転型表示パネル
がある。
【０００３】
こうした磁気表示パネルの筆記には、分散液体に含有されている磁性表示体または微小磁石に磁界を作用させて、磁性表示体または微小磁石を分散液体中で泳動および／または反転させる必要があり、そのために磁気表示パネル用筆記用具として軸筒の先端に焼結磁石を装着したものが提供されている。従来、こうした磁気表示パネル用筆記用具は、一つの保持軸の先端に１つの焼結磁石を装着したものがほとんどで、太い筆跡幅が得られる大径の磁石を装着した筆記用具、前記筆跡幅より細い筆跡幅が得られる細径の磁石を装着した筆記用具が個別に提供されているのが現状であった。そのために筆跡幅を変えて磁気表示パネルに筆記したい場合には、いちいち磁石の外径が異なった別の筆記用具に持替えて筆記する必要があった。
【０００４】
こうした別の筆記用具に持替える煩わしさの問題を解消するものとして、一つの軸筒の両端に外径が異なった磁石を装着したものがある。
【０００５】
ところで、一般的に磁気表示パネル用筆記用具は、その理由は定かでないが、こうした磁気表示パネルは玩具用の表示板として提供されることもあり、子供達の使い勝手、キャップの紛失やキャップを誤飲しないように、筆記先端としての磁石をキャップで被覆しているものがない。そのために、筆記用具を落下するなどして磁石に衝撃が加わると、磁石部分が損傷してしまうことがあり、その状態で磁気表示パネルに筆記すると、磁気表示パネルの表示面を傷つけてしまい、最悪の場合はパネル間に収容された分散液体が洩れてしまうという問題がある。
【０００６】
磁石の損傷を防ぐには、不使用時には磁石に直接衝撃が加わらないように被覆可能な構造とすれば良いが、従来の筆記用具より使い勝手が悪くなってしまう。そこで本発明者達が種々検討したところ、前記問題を解消するには、不使用時に磁石を軸筒内に没入可能な構造とすれば良いことに思い付いた。
【０００７】
磁石が軸筒内を前後に摺動可能とした磁気ペンが、特開平４−１７５１９６号公報により開示されており、具体的には、ホルダ内に軸棒と一体化した磁石が通常はスプリングによって上方に押し上げられた状態で、ノッチを押圧するとホルダの切り欠き穴にフックが係り磁石は最先端にセットされ、解除ボタンを押すと磁石はスプリングにより再び上方に押し上げられて移動する構造のものである。しかし、前記構造は、一つの保持軸に一つの磁石を摺動可能に装着したものであり、複数の磁石を装着した構造ではなく、前記した問題を解決していない。
【０００８】
また特に、前記ｃの磁気表示パネルにおいては、その特徴を生かすためには磁石のＮ極側を筆記先端としたものとＳ極側を筆記先端としたものの２種類の筆記用具を必要とするが、同一の軸筒の両端に両磁極が露出するように磁石を配設した場合には、前記磁石の外径が同形状だと、どちらの一方端にＮ極を露出させた磁石が装着され、他方端にＳ極を露出させた磁石が装着されているか見ただけでは判別できないという問題がある。
【特許文献１】ＷＯ  ２００５／０３３７９０号公報
【特許文献２】特開平４−１７５１９６号公報
【発明の開示】
【発明が解決しようとする課題】
【０００９】
本発明は、磁気表示パネル用の筆記用具として、一つの軸筒に複数の磁石を配設し、不使用時には磁石が軸筒内に没入し、使用時に所望する磁石を選択的に軸筒の先端開口部より出没可能な磁気表示パネル用筆記用具を得るものである。特に、磁気泳動反転型表示パネルにおける磁気表示パネル用筆記用具として、一つの軸筒に、筆記先端としてＮ極の磁極を露出させた磁石とＳ極の磁極を露出させた磁石を配設し、不使用時には磁石が軸筒内に没入し、使用時に所望する磁極の磁石を選択的に軸筒の先端開口部より出没可能な磁気表示パネル用筆記用具を得るものである。
【００１０】
またさらには、磁気泳動反転型表示パネルの磁気表示パネル用筆記用具として、軸筒の先端開口部より突出した磁石がＮ極の磁極の磁石かＳ極の磁極の磁石か判るようにするとともに、磁気泳動反転型表示パネルに筆記した際に、筆跡の色が何色になるか判るようにするものである。
【課題を解決するための手段】
【００１１】
本発明は、
「１．保持体の先端に外径が異なる筆記先端としての磁石を装着してなる複数の筆記体を、軸筒内にコイルスプリングにより後方に付勢された状態で収納して、軸筒に設けた操作部の操作により筆記先端を軸筒の先端開口部より出没可能とする繰出機構に具設し、該繰出機構の操作により複数の筆記体から選択した筆記体を摺動して、軸筒の先端開口部より筆記先端としての磁石を出没可能とした磁気表示パネル用筆記用具。
２．少なくとも、着色材を含有する分散媒中に、高保磁力材からなる第１の磁性材料と低保磁力材からなる第２の磁性材料とを混合してなる、両磁極の色を異ならせかつ分散媒の色とも異ならせて着色した微小磁石を分散して得られた降伏値を有する分散液体をパネル間に収容した磁気泳動反転型表示パネル用の筆記用具であって、保持体の先端にＮ極またはＳ極の磁極が露出するように筆記先端としての磁石を装着してなる第１筆記体と、保持体の先端に前記磁石の磁極と反対のＳ極またはＮ極の磁極が露出するように筆記先端としての磁石を装着してなる第２筆記体とを、軸筒内に互いの磁石が吸着しないようにコイルスプリングにより後方に付勢された状態で収納して、軸筒に設けた操作部の操作により筆記先端を軸筒の先端開口部より出没可能とする繰出機構に具設し、該繰出機構の操作により複数の筆記体から選択した筆記体を摺動して、軸筒の先端開口部より筆記先端としての磁石を出没可能とした磁気表示パネル用筆記用具。
３．前記２項に記載の磁気表示パネル用筆記用具において、繰出機構を操作する際に、操作により第１筆記体または第２筆記体の筆記先端としての磁石が軸筒の先端開口部より突出するか判るように、突出した磁石で磁気泳動反転型表示パネルに筆記した時の表示の筆跡の色と同色または同系色で形成した目印を視認できるように設けてなる磁気表示パネル用筆記用具。」
である。
【００１２】
本発明における繰出機構とは、１つの軸筒内にボールペンおよび／またはシャープペンシル等の筆記体を複数本収納した多芯筆記具において、軸筒内に収納した所望する筆記体の先端部を軸筒の先端開口部から突出させるための繰出機構と同一構造のもので、筆記具の技術分野において充分に知られている周知の機構のものである。具体的に説明すると、
イ）一つは、筆記体の後方の軸筒内に、筆記体側の端部を自由端とし反対側をノック体に連設した振子式押し棒で構成された繰出機構であって、所望する筆記体を使用したい場合は、その筆記体が下側になるように軸筒を傾けてノック体を押圧する。そうすると振子式押し棒の先端が下側に傾くので所望する筆記体の後端または筆記体の後端に設けた部材に当接して筆記体を前進させることができ、所望する筆記体の筆記先端を軸筒の先端開口部から突出させることができる。前記筆記先端を軸筒の先端開口部から没入するには、構造の相違により鞘軸（後軸）を回転させることで前記筆記先端を軸筒の先端開口部から没入させる「ノック＆ツイスト式」や、クリップ部分に形成したボタンを押圧することで前記筆記先端を軸筒の先端開口部から没入させる「ノック＆ボタン式」等の「ノック式」と呼ばれている繰出機構、
ロ）また一つは、軸筒を胴軸（前軸）と該胴軸の後方に回転可能に連接した回転軸（後軸）とで構成し、回転軸を胴軸に対して回転して、回転軸内に具備したカム斜面により所望する筆記体を前進させ、筆記先端を軸筒の先端開口部から突出させる「回転式」と呼ばれている繰出機構、
ハ）隆起部を有したスライド片を各筆記体の後端に装着し、隆起部を軸筒後端部に形成した摺動溝より外方に突出させ、隆起部を軸筒の先端方向に前進操作することにより筆記体を前進させ、スライド片に形成した係止部を軸筒後端部に形成した被係止部に係止して筆記体の先端部を軸筒の先端開口部から突出させてなる「スライド式」と呼ばれている繰出機構
がある。
【００１３】
繰出機構を操作する際に、操作により第１筆記体または第２筆記体の筆記先端としての磁石が軸筒の先端開口部より突出するか判るように、突出した磁石で磁気泳動反転型表示パネルに筆記した時の表示の筆跡の色と同色または同系色で形成した目印を視認できるように設けるが、例えば、「ノック式」と呼ばれている繰出機構においては、軸筒内に収容した各筆記体の円周上の反対側の位置の軸筒の外周面に、筆記先端としての磁石を軸筒の先端開口部より突出させて磁気泳動反転型表示パネルに筆記した際に、表示された筆跡の色と同色または同系色で形成したドットマークや「Ｎ」や「Ｓ］等の表示マークを設ければ良い。
【００１４】
「回転式」と呼ばれている繰出機構においては、胴軸（前軸）の外周面にドットや△形状の指示マークを施し、回転軸（後軸）の外周面に、回転軸を胴軸に対して回転させて筆記体の筆記先端としての磁石を軸筒の先端開口部より突出した状態において、指示マークの位置に合わせて、筆記先端としての磁石を軸筒の先端開口部より突出させて磁気泳動反転型表示パネルに筆記した際に、表示された筆跡の色と同色または同系色で形成したドットマークや「Ｎ」や「Ｓ］等の表示マークを設ければ良い。
【００１５】
「スライド式」と呼ばれている繰出機構においては、隆起部を有したスライド片を、隆起部を軸筒の先端方向に前進操作して筆記体の筆記先端としての磁石を軸筒の先端開口部より突出した状態において、磁気泳動反転型表示パネルに筆記した際に、表示された筆跡の色と同色または同系色に着色するか同色または同系色で樹脂成形した部材で形成して目印とすれば良い。
【発明の効果】
【００１６】
本発明の磁気表示パネル用筆記用具は前記したような構造なので、例えば軸径が異なった磁石を装着した場合に、筆記時に違った筆跡幅に変えて筆記を行いたい際にいちいち他の筆記用具に持替える必要がないので使い勝手が良い。また、不使用時には、筆記先端としての磁石を軸筒内に没入しておけば、落下等による衝撃が軸筒に加わっても直接に磁石に加わらないので、磁石の縁部等の損傷の危険性を抑えることができる。またキャップを採用していないのでキャップの着脱行為をする必要がないので使用勝手が良い。
【００１７】
特に、磁気泳動反転型表示パネルにおいては、表示を形成した微小磁石と反対の磁極の磁石により、表示を形成した微小磁石を再反転させることで表示の筆跡の色を変化させることができるので、筆記用具としてＮ極の磁極が露出するように磁石を装着した筆記用具とＳ極の磁極が露出するように磁石を装着した筆記用具の少なくとも２本の筆記用具が必要であり、２つの筆記用具を使用する頻度も高く、その際にいちいち筆記用具を持替える必要がないので使い勝手と言う面で顕著な効果となる。
【発明を実施するための最良の形態】
【００１８】
保持体の先端に磁石を装着してなる複数の筆記体を、先端を開口した軸筒内にコイルスプリングにより後方に付勢して収納し、筆記具の技術分野における多芯筆記用具に採用されている、軸筒内に収納した複数の筆記体の中から選択した筆記体の先端部を軸筒の先端開口部から突出させるための軸筒に設けられた繰出機構に具備する。
【実施例】
【００１９】
本発明の磁気表示パネル用筆記用具の実施例について、図面を用いて説明するが、本発明はこれに限定されるものではない。
先ず、本実施例の筆記用具における筆記体について説明する。図１は、本発明の磁気表示パネル用筆記用具における１つの実施例を示す筆記体の縦断面図で、（ａ）は、Ｎ極の磁極を筆記先端として露出させた筆記体の縦断面図である。（ｂ）は、Ｓ極の磁極を筆記先端として露出させた筆記体の縦断面図である。（ａ）の第１筆記体１ａは、円筒状の保持体２の先端に筆記先端としてＮ極の磁極が露出するように磁石３ａを装着して設けてある。（ｂ）の第２筆記体１ｂは、同寸法・同形状の円筒状の保持体２の先端に筆記先端としてＳ極の磁極が露出するように磁石３ｂを装着して設けてある。
【００２０】
図２は、本発明の磁気表示パネル用筆記用具における他の実施例を示す筆記体の縦断面図で、（ａ）は、磁石の外径が大きい方の磁石を筆記先端として装着した筆記体の縦断面図である。（ｂ）は、磁石の外径が小さい方の磁石を筆記先端として装着した筆記体の縦断面図である。（ａ）の第３筆記体４ａは、円柱状の保持体５に、先端に設けた磁石用嵌着孔６ａに外径が大きい方の磁石７ａを装着して設けてある。第４筆記体４ｂは、同寸法・同形状の円柱状の保持体５に、先端に設けた磁石用嵌着孔６ｂに外径が小さい方の磁石７ｂを装着して設けてある。両者の保持体５の後端には、同寸法・同形状の係合孔８を設けてある。
【００２１】
次に、本実施例の磁気表示パネル用筆記用具について説明するが、前記した各々の２つの筆記体を軸筒内に収納して、所望する磁石の磁極または磁石の外径の方を筆記先端として選択的に軸筒の先端開口部より出没可能とした筆記用具として説明するが、２つの筆記体が軸筒内に収納された筆記用具に限定されるものではなく、３つ以上の複数の筆記体を軸筒内に収納した磁気表示パネル用筆記用具でも良い。
【００２２】
第１の実施例の磁気表示パネル用筆記用具１０は、図３及び図４に示すような「スライド式」と呼ばれている繰出機構に、前記第１筆記体１ａと第２筆記体１ｂを、または前記第３筆記体４ａと第４筆記体４ｂを具設したものである。便宜上図４においては、第１筆記体１ａと第２筆記体１ｂを繰出機構に具設した状態のみを描いてある。前記繰出機構は、従来より筆記具の技術分野で知られている繰出機構と何ら変わるものではない。図３は、第１の実施例の磁気表示パネル用筆記用具の側面図である。図４は、図３のＡ−Ａ線部分における繰出機構部分の要部の拡大端面図である。
【００２３】
第１の実施例の磁気表示パネル用筆記用具１０は、軸筒１１が前軸１１ａと後軸１１ｂとで構成しており、図示していないが前軸１１ａと後軸１１ｂは螺着している。後軸１１ｂの周面には２つの摺動溝１２（図面では１つしか描かれていない。）を形成してあり、図示していないが後軸１１ｂの内部は２つに区画されている。図３および図４に示すように、各々の摺動溝１２には、操作体となるスライド片１３が、該スライド片１３に形成した隆起部１４を摺動溝１２より外方に突出させて摺動可能に配設してある。スライド片１３の先端には装着段部１５を形成してあり、該装着段部１５にコイルスプリング１６を装着してスライド片１３を常時後方に付勢した状態で前記摺動溝１２に配設してある。また、スライド片１３の装着段部１５より前方の先端には、装着段部１５より小径とした係合突部１７を、前記筆記体１ａ、１ｂの保持体２の後端開口部１８に、または前記筆記体４ａ、４ｂの保持体５の係合孔８に係合可能に設けてある。
【００２４】
筆記体１ａと筆記体１ｂは、軸筒１１内に挿入して保持体２の後端開口部１８にスライド片１３の係合突部１７を挿着して、スライド式の繰出機構に具設してある。筆記体１ａ、１ｂの外径はコイルスプリング１６の内径より小径としてあり、筆記体１ａ、１ｂの前後方向の摺動に対して邪魔とならない。スライド片１３はコイルスプリング１５により後方に付勢されており、スライド片１３に連接した筆記体１ａ、１ｂも後方に付勢されている。
【００２５】
図示していないが、筆記体４ａと筆記体４ｂを軸筒１１内に挿入してスライド式の繰出機構に具設するには、筆記体４ａと筆記体４ｂの保持体５の係合孔８に前記スライド片１３の係合突部１７を挿着すれば良い。
【００２６】
筆記先端としてＮ極の磁極を露出させた筆記体１ａが連接したスライド片１３は、筆記体１ａを用いて磁気泳動反転型表示パネルに筆記した際に得られる表示の筆跡の色と同色または同系色で着色して形成してある。筆記先端としてＳ極の磁極を露出させた筆記体１ｂが連接したスライド片１３は、筆記体１ｂを用いて磁気泳動反転型表示パネルに筆記した際に得られる表示の筆跡の色と同色または同系色で着色して形成し、判別のための目印としてある。後軸の外周面には、筆記具と同様にクリップ２３を設けてある。
【００２７】
所望する筆跡の色で表示できる筆記体１を使用したい場合は、筆跡の色と同色または同系色のスライド片１３の隆起部１４を前軸１ａ側方向に押圧してスライド片１３を前進させることにより、スライド片１３の係止部１９が後軸１１ｂ内に形成した被係止部（図示せず）に係止し、例えば筆記体１ａの磁石３ａが前軸１１ａの先端開口部２０から突出する。この状態から他方の筆記体１ｂを使用する場合には、他方のスライド片１３の隆起部１４を前進させることで、他方のスライド片１３の解除突起２１が、被係止部に係止しているスライド片１３の突起２２に当接し、係止部１９を被係止部から押し出して、スライド片１３の係止を解除する。スライド片１３および筆記体１ａは、コイルスプリング１５の弾発力によって元の状態に戻る。
【００２８】
第２の実施例の磁気表示パネル用筆記用具５０は、図５及び図６に示すような「回転式」と呼ばれている繰出機構に、前記第１筆記体１ａと第２筆記体１ｂを、または前記第３筆記体４ａと第４筆記体４ｂを具設したものである。前記繰出機構は、従来より筆記用具における繰出機構で知られているものと何ら変わるものではない。図５は、第２の実施例の磁気表示パネル用筆記用具の側面図で、筆記体としての磁石を繰出した状態を示した図である。図６は、第２の実施例の磁気表示パネル用筆記用具の繰出機構部分を示す要部の拡大端面図である。
【００２９】
軸筒５１は、先端に先窄み状の先軸５１ａを螺着した胴軸５１ｂと回転軸である鞘軸５１ｃとで構成されている。鞘軸５１ｃは胴軸５１ｂに対して回転可能に連設してある。胴軸５１ｂの後方は小径に形成して鞘軸５１ｃに被覆されている。図示していないが鞘軸５１ｂ内は２つの摺動室に区画されている。各々の区画室に、後端にスライダー部材５２を挿着した筆記体１ａ、１ｂまたは筆記体４ａ、４ｂをコイルスプリング５３を介して後方に付勢して収納する。前記スライダー部材５２の側面には、後方に向かって尖った頂部５４を有した突起５５を設けてあり、該突起５５は鞘軸５１ｃの外方に向かって突出するように設けてある。鞘軸５１ｃの内側面には、軸心に沿った方向に変位するように形成したカム斜面５６を設けてあり、鞘軸５１ｃを胴軸５１ｂに対して回転することにより、各筆記体のスライダー部材５２の突起５５の頂部５４を構成する斜面５７に当接可能に設けてある。
【００３０】
鞘軸５１ｃの後端には、頭冠固定部材５８を介して頭冠５９とクリップ６０を装着してある。
【００３１】
図示していないが、筆記体４ａと筆記体４ｂを軸筒５１に収納して回転式の繰出機構に具設するには、筆記体４ａと筆記体４ｂの各々の保持体５の係合孔８にスライダー部材５２を挿着し、それ以降を前記した筆記体１ａ、１ｂの場合と同様にして繰出機構に具設すれば良い。
【００３２】
胴軸５１ｂと鞘軸５１ｃの連接部分の近傍の両軸の外周面には、図５に示すように、胴軸５１ｂ側には△印状の指示マーク６１を、鞘軸５１ｃ側には鞘軸５１ｃを回転して筆記体の筆記先端としての磁石３が先軸５１ａの先端開口部６２より突出した際に、前記指示マーク６１が軸心に沿った方向に一直線上となる位置に、磁気泳動反転型表示パネルに筆記した際に得られる表示の筆跡の色と同色または同系色で表示した、例えばＮ極の磁極の磁石が先端開口部６２より突出した際には「Ｎ」の表示マーク６３を、Ｓ極の磁極の磁石が先端開口部６２より突出した際には「Ｓ」の表示マーク（図示せず）を表示して、判別のための目印としてある。
【００３３】
所望する筆跡の色で表示できる筆記体を使用したい場合は、前記指示マーク６１と所望する筆跡の色で表示された表示マーク６３を、例えば図５においては指示マーク６１と「Ｎ」の表示マーク６３を合わせるように鞘軸５１ｃを胴軸５１ｂに対し回転することで、各筆記体に挿着したスライダー部材５２の突起５５がカム斜面５６に沿って押圧され、各筆記体は前進し筆記先端としての磁石が先軸５１ａの先端開口部６２より突出する。突出した磁石を没入させるのは、前記回転方向と反対方向へ回転すれば良い。
【００３４】
第３の実施例の筆記用具１００は、図７および図８に示すような「ノック式」と呼ばれている繰出機構に、前記第１筆記体１ａと第２筆記体１ｂを、または前記第３筆記体４ａと第４筆記体４ｂを具設したものである。前記繰出機構は、従来より筆記用具における繰出機構で知られているものと何ら変わるものではない。図７は、第３の実施例の磁気表示パネル用筆記用具の側面図である。図８は、図７のＢ−Ｂ線部分における繰出機構部分の要部の拡大端面図である。
【００３５】
図７および図８に示すように、軸筒１０１は、先端に先窄み状の先軸１０１ａを螺着した胴軸１０１ｂと鞘軸１０１ｃとで構成されている。鞘軸１０１ｃは、胴軸１０１ｂと鞘軸１０１ｃ間に配設したコイルスプリング１０２を介して胴軸１０１ｂに対し前後動可能に配設してある。鞘軸１０１ｃの後端には頭冠固定部材１０３を介して頭冠１０４とクリップ１０５が装着してあり、頭冠１０４は頭冠固定部材１０３に着脱自在に取付けてある。また、頭冠固定部材１０３には内筒体１０６が連設してあり、該内筒体１０６には、内筒体１０６に形成した凹部１０７に大径な頭部１０８ｂを挿入し先端部１０８ａを自由端とした振子式押し棒１０８が付設してある。該振子式押し棒１０８は、内筒体１０６に固定した固定部材１０９により頭部１０８ｂを保持しており、頭部１０８ｂは凹部１０７内に遊嵌してある。振子式押し棒１０８、内筒体１０６および鞘軸１０１ｃは連動して前後動可能であり、ノック体としての機能を持たせている。
【００３６】
胴軸１０１ｂ内は２つの摺動室１１０ａ、１１０ｂに区画されており、各々の摺動室１１０ａ、１１０ｂには、保持体２の後端に押し棒受部材１１１を挿着した筆記体１ａと筆記体１ｂをコイルスプリング１１２により後方に付勢して収納してある。
【００３７】
図示していないが、筆記体４ａと筆記体４ｂを軸筒１０１に収納してノック式の繰出機構に具設するには、筆記体４ａと筆記体４ｂの各々の保持体５の係合孔８に押し棒受部材１１１を挿着し、それ以降を前記した筆記体１ａ、１ｂの場合と同様にして繰出機構に具設すれば良い。
【００３８】
鞘軸１０１ｃの後端部の外周面には、図７に示すように、各々の筆記体１ａ、１ｂを収収した位置と対向した外周面の位置に、筆記先端としての磁石３が先軸１０１ａの先端開口部１１３より突出した際に、磁気泳動反転型表示パネルに筆記した際に得られる表示の筆跡の色と同色または同系色で表示した、筆記体の筆記先端としての磁石の磁極を示す「Ｎ」や「Ｓ」（図示せず）の表示マーク１１４を表示して、判別のための目印としてある。
【００３９】
本繰出機構を有した磁気表示パネル用筆記用具１００は、軸筒１０１を傾けると、振子式押し棒１０８は常に垂直に起立しようとするので、先端部１０８ａは軸筒１０１を傾けた際の下側に位置した筆記体に挿着した押し棒受部材１１１に対向する。したがって、所望する筆跡の色で表示できる筆記体を使用したい場合は、その色で表示された表示マーク１１４を上側に向けて、その状態で鞘軸１０１ｃを押圧すると、鞘軸１０１ｃに連動して内筒体１０６および振子式押し棒１０８が押圧されて前進し、所望する筆記体が前進して筆記先端としての磁石が先端開口部１１３より突出する。前記筆記体の先端を先端開口部から没入するには、図示していないが、例えば「ノック＆ツイスト式」の繰出機構であるならば、鞘軸１０１ｃを回転させることにより没入させることができる。
【産業上の利用可能性】
【００４０】
磁気表示パネル用筆記用具として複数本存在するものを、１つにまとめることができ、例えば、従来の玩具用の磁気表示パネルにおいては複数本の筆記用具の収納スペースが必要であったものが１つの収納スペースで良く、表示パネルの包装体のサイズの縮小化ができるし、筆記用具の携帯化が可能となるので表示パネル自体の携帯化も可能となる。
【図面の簡単な説明】
【００４１】
【図１】本発明の磁気表示パネル用筆記用具における１つの実施例を示す筆記体の縦断面図で、（ａ）は、Ｎ極の磁極を筆記先端として露出させた筆記体の縦断面図である。（ｂ）は、Ｓ極の磁極を筆記先端として露出させた筆記体の縦断面図である。
【図２】本発明の磁気表示パネル用筆記用具における他の実施例を示す筆記体の縦断面図で、（ａ）は、磁石の外径が大きい方の磁石を筆記先端として装着した筆記体の縦断面図である。（ｂ）は、磁石の外径が小さい方の磁石を筆記先端として装着した筆記体の縦断面図である。
【図３】第１の実施例の磁気表示パネル用筆記用具の側面図である。
【図４】図３のＡ−Ａ線部分における繰出機構部分の要部の拡大端面図である。
【図５】第２の実施例の磁気表示パネル用筆記用具の側面図で、筆記体としての磁石を繰出した状態を示した図である。
【図６】第２の実施例の磁気表示パネル用筆記用具の繰出機構部分を示す要部の拡大端面図である。
【図７】第３の実施例の磁気表示パネル用筆記用具の側面図である。
【図８】図７のＡ−Ａ線部分における繰出機構部分の要部の拡大端面図である。
【符号の説明】
【００４２】
１  筆記体
２  保持体
３  磁石
４  筆記体
５  保持体
７  磁石
１０  磁気表示パネル用筆記用具
１１  軸筒
１２  摺動溝
１３  スライド片
１６  コイルスプリング
５０  磁気表示パネル用筆記用具
５１  軸筒
５２  スライダー部材
５３  コイルスプリング
５５  突起
５６  カム斜面
６１  指示マーク
６３  表示マーク
１００  磁気表示パネル用筆記用具
１０１  軸筒
１０８  振子式押し棒
１１１  押し棒受部材
１１２  コイルスプリング
１１４  表示マーク
【図１】
2008093894.tif 000003
【図２】
2008093894.tif 000004
【図３】
2008093894.tif 000005
【図４】
2008093894.tif 000006
【図５】
2008093894.tif 000007
【図６】
2008093894.tif 000008
【図７】
2008093894.tif 000009
【図８】
2008093894.tif 000010